(57)【特許請求の範囲】
【請求項１】
紙葉類の計数機構を備えた紙葉類計数機であって、
複数の紙葉類を堆積させて保管するスタッカと、
当該スタッカに対して送風して前記紙葉類から集塵を実行する除塵装置と、
粉塵を計測する粉塵計と、
前記粉塵計の計測データと集塵態様とのパターンを記憶する記憶装置と、
を備え、
前記粉塵計による計測データに基づいて、前記記憶装置から所定パターンを決定し、当該パターンに基づいて集塵を実行し、集塵効果が高い方向に送風方向を設定する
紙葉類計数機。
【請求項２】
前記除塵装置は、前記スタッカに通じる空間を横断するように送風する請求項１記載の紙葉類計数機。
【請求項３】
前記除塵装置は、
送風量を調整可能な送風装置と、
吸引量を調整可能な吸引装置と、
を備え、
前記送風装置の送風口と前記吸引装置の吸引口とは、前記空間としての、前記スタッカの前方に臨み、前記送風口から送出された空気は当該空間を通過する際に集塵して、前記吸引口を介して前記吸引装置に至る、
請求項２記載の紙葉類計数機。
【請求項４】
前記送風口に、送風方向を調節可能な調節部が設置されている請求項３記載の紙葉類計数機。
【請求項５】
前記空間は、前記送風口からの送風流を前記吸引口に向けて誘導する誘導領域と、
前記吸引口近傍であって、当該送風流の漏えいの抑制領域と、を備える請求項３記載の紙葉類計数機。
【請求項６】
前記送風装置が第１の経路を介して紙葉類計数機本体に接続し、前記吸引装置が第２の経路を介して前記紙葉類計数機本体に接続されている請求項３記載の紙葉類計数機。
【発明の詳細な説明】
【技術分野】
【０００１】
本発明は、紙幣等の紙葉類を計数し、必要に応じて、紙葉類の真偽、及び、正損等の判別が可能な紙葉類計数機に関するものである。
【背景技術】
【０００２】
紙幣計数器によって多量の紙幣を高速で計数しようすると、紙幣に付着する粉塵を、職場環境に広く巻き上げるおそれがある。そこで、幣計数機に隣接させて空気清浄機を運用することが提案されている（特許文献１）。
【先行技術文献】
【特許文献】
【０００３】
【特許文献１】特開２００３−５００２８号公報
【発明の概要】
【発明が解決しようとする課題】
【０００４】
空気清浄器によって、紙幣計数機から発生する粉塵を極力浄化しようとすると、空気清浄機を紙幣計数機に隣接させ、かつ、粉塵を吸引させるための風速を大きくする必要があるため、紙幣計数機の取扱いに不便を来していた。そこで、本発明は、紙葉類の計数の際に生じる粉塵に対して効果的な集塵構造を備える紙葉類計数機の提供を目的とする。
【課題を解決するための手段】
【０００５】
前記目的を達成するために、本発明者が鋭意検討したところ、紙葉類からの粉塵の発生は、紙葉類を堆積しているスタッカにおいて顕著であることが判った。本発明は、係る知見に基づいて、紙葉類の計数機構を備えた紙葉類計数機であって、複数の紙葉類を堆積させて保管するスタッカと、当該スタッカに対する除塵装置と、を備えることを特徴とする。
【発明の効果】
【０００６】
本発明によれば、紙葉類の計数の際に生じる粉塵に対して効果的な集塵構造を備える紙葉類計数機を提供することができる。
【図面の簡単な説明】
【０００７】
【図１】第１の実施の形態に係る集塵機能を搭載した紙幣計数機の構造と風の流れを示す上面断面図である。
【図２】第１の実施の形態に係る紙幣計数機のコントロール部の概略ブロック図である。
【図３】第１の実施の形態に係る粉塵の移動状態を示す気流動作図である。
【図４】第２の実施の形態に係る集塵機能を搭載した紙幣計数機の構造と風の流れを示す上面断面図である。
【図５】第３の実施の形態に係る集塵機能を搭載した紙幣計数機の構造と風の流れを示す上面断面図である。
【図６】第４の実施の形態に係る集塵機能を搭載した紙幣計数機の構造と風の流れを示す上面断面図である。
【図７】第４の実施の形態に係る幣計数機のコントロール部の概略ブロック図である。
【図８】第４の実施の形態に係る除塵コントローラにおける除塵制御の流れを示すフローチャートである。
【発明を実施するための形態】
【０００８】
図１は、第１の実施形態に係る除塵装置を搭載した紙幣計数機１０の平面図である。紙幣計数機１０は、計数された紙幣が堆積される複数のスタッカ１２を備え、複数のスタッカ１２は仕切板１４によって仕分けられている。さらに、紙幣計数機１０は、紙幣からの粉塵を積極的に回収するための空気をスタッカ１２の前方に供給する送風装置１６と、送風機１６から送出された空気流を吸引する吸引装置１８とを備える。
【０００９】
送風装置１６は送風管２０を備え、送風管２０の送風口２０Ａは、紙幣計数機１０内のスタッカ１２の前方空間に臨んでいる。当該空間は、スタッカ１２から紙幣を搬出するための作業領域に相当する。
【００１０】
吸引装置１８は吸引管２２を有し、吸引管２２の吸引口２２Ａは、紙幣計数機１０内におけるスタッカ１２の前方空間に臨んでいる。送風装置２０の送風口２０Ａから送出された空気は、スタッカ１２の前方空間を通過して、吸引口２２Ａを介して吸引装置２２に至る、空気流を形成し、この結果、スタッカ１２及びスタッカ１２の前方空間の粉塵が空気流によって収集される。
【００１１】
送風口２０Ａには、当該送風口の開口面積の調節装置を備える。この調節装置は、開口面積の調節板２４を備え、当該調節板２４は回転軸部２４Ａを中心に回転して、回転角度に基づいて送風口２０Ａの開口面積、送風方向、風速を決定する。
【００１２】
なお、前記スタッカ１２は仕切板１４によって２つに仕切られているが、仕切板１４を増設することによって、スタッカ１２内での紙幣の堆積のための領域をさらに多く仕分けることができる。スタッカ１２の前方区間での空気流が吸引口２２Ａに円滑にするために、傾斜部１２Ａが設けられている。さらに、吸引口２２Ａは計数機正面で計数機中央方向に向かって突出して（２２Ｂ）、空気流が吸引口２２Ａに至る前に紙幣計数機１０の正面から機外に漏えいすることを抑制している。
【００１３】
図２は、第１の実施の形態に係る紙幣計数機１０のコントロール部２６を示すブロック図である。コントロール部２６は、メインコントローラ２７を備えており、図示しない操作部が接続され、計数の開始、計数モード等が入力できるように構成されている。計数モードとは、ミックスモード、ソートモード、カウントモード等がある。ミックスモードは、例えば、日本銀行券（４金種）を計数し、金種毎の金額を合計するモードである。ソートモードは、例えば、単一金種の枚数を計数するモードである。カウントモードは、例えば、金種に関係なく、枚数のみを計数するモードである。  メインコントローラ２７には、計数処理を制御するための計数コントローラ２８と除塵処理を制御するための除塵コントローラ３０が接続されている。
【００１４】
計数コントローラ２８には、枚葉装置３２、計数装置３４、表示装置３６が接続され、除塵コントローラ３０には、送風装置１６及び吸引装置１８が接続されている。送風装置１６と吸引装置１８とは、除塵コントローラ３０の制御により、同時に駆動される。
【００１５】
送風装置１６と吸引装置１８とが同時に駆動すると、図３に示される如く、送風口２０Ａと吸引口２２Ａとの間には、所定の流速ｖの気流が発生する。気流のパターン（風向、風速等の組み合わせ）は、調節板７の角度によって調整される。図３に示すように、気流の発生により、スタッカ１２内、スタッカ１２の前方が、気流によって気圧が低下傾向となり、スタッカ１２内、スタッカ１２の前方空間の粉塵が気流に引き寄せられ、粉塵が積極的に吸引口２２Ａに誘導されるようになる。
【００１６】
次に、紙幣計数機の動作について説明する。紙幣計数機１０に紙幣を装填する。メインコントローラ２７に操作部からモードを設定する。ミックスモードが選択された場合は、紙幣が計数され、表示装置３６に枚数と金額とが表示される。ソートモードが選択された場合は、計数コントローラ２８は、単一金種の枚数を計数し、表示装置３６に枚数と金額を表示する。カウントモードが選択された場合は、計数コントローラ２８は、金種に関係なく、枚数のみを計数し、表示装置３６に枚数を表示する。計数が行われた紙幣は、スタッカ１２へ案内されて回収され、その際、紙幣同士が擦れ合う等して紙粉等の粉塵が発生する。この粉塵は紙幣と共にスタッカ１２へ混入される。紙幣計数機１０が紙幣の計数を開始する、除塵コントローラ３０がこれを検知して、送風装置１６と吸引装置１８とを駆動させる。
【００１７】
送風装置１６から空気流が、送風管２０、送風口２０Ａを介して、スタッカ１２の前方空間に供給される。空気流は、吸引装置１８の駆動によって吸引口２２Ａに誘導される。したがって、計数装置外から単純に空気清浄器等で集塵しようとする態様に比較して、迅速かつ効率的に粉塵を回収することができる。
【００１８】
既述のとおり、調節板７の角度を変えることによって、送風口２０Ａからの空気流の方向を変更することができる。例えば、例えば、調節板７の角度を空気流がスタッカ１２に方向に向くようにすることによって、スタッカ１２内から粉塵を掻き出ことができ、その後、調節板の角度を空気流がスタッカ１２の前方空間に向くようにすることによって、掻き出された粉塵を吸引口２２Ａに誘導することができる。また、紙葉類の枚数、紙葉類の新旧など、紙葉類の状態によって調節板の角度、送風速度、送風量等の除塵態様を変更すればよい。
【００１９】
（第２の実施形態）
第２の実施の形態の特徴は、送風装置１６及び吸引装置１８が、紙葉類計数機から離間していることにある。図４は、第２の実施の形態係る集塵機能を搭載した紙幣計数機１０の平面図である。送風装置１６は、ダクト３８を介して、計数機本体１０Ａに設けられた送風管２０に接続されている。吸引装置１８は、ダクト４０を介して、計数機本体１０Ａに設けられた吸引管２２に接続されている。
【００２０】
紙幣計数機１０に送風装置１６及び吸引装置１８を設置する余裕が無い場合に、ダクト３８及びダクト４０の長さを延長して、送風装置１６及び吸引装置１８を紙幣計数機から離間させることができる。この態様では、送風装置１６と吸引装置１８の運転音を低減させることができる。
【００２１】
なお、ダクト３８及びダクト４０は、所謂蛇腹状に適宜屈曲させるようにしてもよいし、複数のダクトを組み付けてクランク状に配管するようにしてもよい。
【００２２】
（第３の実施の形態）
第３の実施の形態の特徴は、送風装置１６と吸引装置１６を一体化したことに特徴がある。図５は、第３の実施の形態係る紙幣計数機１０の平面図である。
【００２３】
計数装置本体１０Ａに設けられた吸引管２２は、送吸引装置１８の吸引口１８Ａに接続されている。計数装置本体１０Ａに設けられた送風管２０は、吸引装置１８の送風口１８Ｂに接続されている。送吸引装置１８には、吸引した空気を排出する開口がり、これを送風口１８Ｂとした。送吸引装置１８には、フィルタが内蔵され、吸引した空気に含まれる粉塵は当該フィルタによって除去される。フィルタに代えて遠心分離機等の除塵手段を備えてもよい。なお、送吸引装置１８をダクト３８及びダクト４０を介することなく計数装置に接続してもよい。
【００２４】
（第４の実施の形態）
第４の実施の形態の特徴は、スタッカ１２で発生する粉塵の量に応じて除塵制御が実行される点にある。図６に示されるように、スタッカ１２の内側には、複数の領域夫々に粉塵計４２Ａ、４２Ｂが取り付けられている。図７に示される如く、粉塵計４２Ａ、４２Ｂは、除塵コントローラ３８に接続されている。また、除塵コントローラ３８には、送風管２０の送風口２０Ａに取り付けられた調節板２４を、電動で調整するための調節板駆動部４４が接続されている。
【００２５】
風向と送風力と吸引力の最適値は粉塵の大きさや濃度で異なってくる。そこで、予め除塵コントローラ３８用のメモリに、粉塵の濃度と大きさのデータテーブルを記憶させておき、風向と送風力と吸引力の組み合わせを数パターン分プログラムしておき、除塵コントローラ３８が粉塵計４２Ａ、４２Ｂの計測データをリアルタイムで読み込み、常に最適な集塵効果を得られるように除塵装置を制御する。
【００２６】
図８は、除塵コントローラ３８における、粉塵計４２Ａ、４２Ｂを用いた除塵制御のフローチャートである。ステップ５０において、除塵コントローラ３８は、紙幣の計数が開始されたか否かを判断し、肯定判定をすると、ステップ５２へ移行して、風向と送風力と吸引力との初期値に基づいて送風装置２０と吸引装置２２とを駆動させてステップ５４へ移行する。ステップ５４では、除塵コントローラ３８は粉塵計４２Ａ、４２Ｂによって粉塵量を計測し、ステップ５６では、計測値を読み込み、次いでステップ５８へ移行して、計測値と集塵態様（風向、送風力（風速）、吸引力（吸引速度）等）との関係テーブルを読み出す。
【００２７】
次のステップ６０では、除塵コントローラ３８は、関係テーブルに基づいて、計測された粉塵量に最適な集塵態様を選択、或いは、決定し、ステップ６２へ移行して、送風装置２０及び吸引装置２２へ、駆動信号を出力する。また、調節板２４の角度を設定する。ステップ６４では、紙幣の計数が終了したか否かを判断し、否定判定された場合は、ステップ５４へ戻り、上記工程を繰り返す。肯定判定された場合は、ステップ６６へ移行して、送風装置２０及び吸引装置２２の駆動を停止して、このルーチンは終了する。
【００２８】
以上説明したように、紙葉類計数機は、紙葉類からの集塵のための機構を包含しているために、空気清浄器を必要とせず、さらに、集塵の影響が大きいスタックに対して集塵機構を設定しているために、集塵機構を小型化しても高い集塵効果を達成することができる。また、紙幣計数機を説明したが、株券、小切手などの証券類でも同様である。
【符号の説明】
【００２９】
１０・・・紙幣計数機、１２・・・スタッカ、１２Ａ・・・斜面部、１４・・・仕切板、１４Ａ・・・傾斜部、１６・・・送風装置、１８・・・吸引装置２０・・・送風管、２０Ａ・・・送風口、２２・・・吸引管、２２Ａ・・・吸引口、２２Ｂ・・・突出部、２４・・・調節板、２４Ａ・・・回転軸部、２６・・・コントロール部、２７・・・メインコントローラ、２８・・・計数コントローラ、３０・・・除塵コントローラ、３２・・・枚葉装置、３４・・・計数装置、３６・・・表示装置、３８・・・ダクト、４０・・・ダクト、４２Ａ、４２Ｂ・・・粉塵計、４４・・・調節板駆動部。
【図１】
0006454227.tif 000002
【図２】
0006454227.tif 000003
【図３】
0006454227.tif 000004
【図４】
0006454227.tif 000005
【図５】
0006454227.tif 000006
【図６】
0006454227.tif 000007
【図７】
0006454227.tif 000008
【図８】
0006454227.tif 000009